(57)【要約】【課題】  録画済み番組の識別名として正式な番組名を記録することができるデジタル放送録画再生装置を提供する。【解決手段】  番組コンテンツ及びＥＰＧ情報をデジタル放送受信手段１で受信し、ユーザにより選択された番組情報を録画予約番組情報として録画予約情報記憶手段５に記憶し、録画予約番組情報に従って番組コンテンツ録画手段６が番組コンテンツを録画すると、その番組情報が録画済み番組情報として録画済み番組情報記録手段７に記録されるとき、属性情報抽出手段８が録画中の番組コンテンツから属性情報を抽出し、番組名置き換え手段９が記憶された録画予約番組情報の番組名と、抽出された属性情報の番組名とを比較し、両者が互いに相違するとき録画済み番組情報の番組名を属性情報の番組名に置き換える。【選択図】  図１
2007096714.tif 000002
【特許請求の範囲】
【請求項１】
放送局から送信される番組コンテンツ及びその番組コンテンツを識別するための番組名である第１の番組名を少なくとも含む属性情報から構成されるデジタル放送信号を受信するデジタル放送受信手段と、所定期間内に放送予定の各番組コンテンツを識別するための番組名である第２の番組名を少なくとも含む番組情報から構成されるＥＰＧ情報を取得するＥＰＧ情報取得手段と、前記ＥＰＧ情報取得手段で取得した前記ＥＰＧ情報のうち、選択された番組コンテンツに対応する前記番組情報を録画予約番組情報として記憶する録画予約情報記憶手段と、前記録画予約情報記憶手段に記憶された前記録画予約番組情報に従って前記デジタル放送受信手段で受信された前記デジタル放送信号の番組コンテンツを録画する番組コンテンツ録画手段と、前記番組コンテンツ録画手段で録画された前記番組コンテンツに対応する前記録画予約番組情報を録画済み番組情報として記録する録画済み番組情報記録手段とを備え、前記番組コンテンツの録画再生を行うデジタル放送録画再生装置において、
前記番組コンテンツ録画手段で録画を行う際に、前記デジタル放送信号から、録画を行う番組コンテンツに対応する前記第１の番組名を含む前記属性情報を抽出する属性情報抽出手段と、
前記番組コンテンツ録画手段で録画が行われた各前記番組コンテンツにそれぞれ対応する、前記録画済み番組情報記録手段に記録された前記録画済み番組情報の前記第２の番組名と、前記属性情報抽出手段で抽出された前記属性情報の前記第１の番組名とを比較し、これらの番組名が互いに相違するとき、前記録画済み番組情報記録手段に記録された前記録画済み番組情報の前記第２の番組名を前記属性情報の前記第１の番組名に置き換える番組名置き換え手段とを、
備えたことを特徴とするデジタル放送録画再生装置。
【請求項２】
前記番組名置き換え手段による前記番組名の置き換え後に前記録画済み番組情報記録手段に記録されている前記番組情報の一部又は全部を一覧表示する録画済み番組名一覧表示手段と、
前記録画済み番組名一覧表示手段で表示された前記番組情報のうち少なくとも１つが選択されたら、その選択された前記番組情報に対応する録画済みの前記番組コンテンツを再生する再生番組選択手段とを、
備えたことを特徴とする請求項１に記載のデジタル放送録画再生装置。
【発明の詳細な説明】
【技術分野】
【０００１】
本発明は、電子番組表を利用してデジタル放送の録画、再生を行うデジタル放送録画再生装置に関する。
【背景技術】
【０００２】
従来、テレビ放送の録画予約設定は、放送日時及びチャンネルを手入力していたため、操作が煩雑であった。そこで、操作性を改善する種々の提案がなされている。これらの提案は、電子的に番組情報が提供されるＥＰＧ（Electronic Program Guide：電子番組ガイド）を用いて設定することが主流になっている。特に、多数の番組を録画して保存することができるＶＤＲ（Video Disc Recorder：ビデオディスクレコーダ）においては、録画済み番組を識別するための番組名は必須の情報であり、録画予約設定時に番組名も同時に設定されるＥＰＧは最も多く利用されている。
【０００３】
ＥＰＧで利用される番組情報には、番組情報提供事業者が作成する放送事業者の番組情報を統合、編集し、一括して提供する方法があり、例えば、映像信号のＶＢＩ（Vertical Blanking Interval：垂直帰線期間）に重畳させる方法や特定の情報提供チャンネルを利用する方法などがある。また、デジタル放送においては、各放送事業者が自局の放送信号に番組情報を重畳して提供する方法もある。更には、インターネットを通じて番組情報提供事業者が用意するサーバから得る方法もある。このように方式の異なる方法が併用されている現在、放送録画装置が受信可能な放送方式に応じて、一括提供方式の採用、あるいは、デジタル放送の自局提供情報との併用が行われている。
【０００４】
ＥＰＧをテレビ画面に表示させるシステムとして、例えば、Ｇガイドシステム１００がある。このＧガイドシステム１００から送信されるＥＰＧは２週間程度の番組情報を含むため、例えば、２週間前においては番組名のみが決定されている場合、番組名のみがフルタイトルで表示されるが、放送日が近づくにつれて、サブタイトルや出演者などの情報を含むようになり、番組名が省略される場合がある。そのため、番組名をキーワードとして、番組を検索して放送の録画予約を行っている場合、放送日が近づくにつれて更新されるＥＰＧに含まれる番組名が省略されると、該当する番組を確実に検出できない場合があった。
【０００５】
また、ＥＰＧ用番組情報の中では正式な番組名が省略して表示されることもある。この場合、１つの正式番組名に対して、複数の省略手法があり、どの省略手法を採用するかについて、あるいは、番組名の省略の程度についてはＥＰＧ用番組情報の提供者の裁量にゆだねられている。したがって、ＥＰＧ更新前の番組名とＥＰＧ更新後の番組名とが異なる場合があり、このような場合にも該当する番組を確実に検出できないことがあった。
【０００６】
上述のような問題点を解決するために、あらかじめ録画する番組を自動で検索するためのキーワードとなる番組名を登録しておき、ＥＰＧからこのキーワードに対応する番組の番組名及び時間情報を取得して記憶し、ＥＰＧが更新された場合、時間情報に基づいて該当する番組の番組名を取得し、番組名が省略された場合、ＥＰＧ更新前の番組名と、ＥＰＧ更新後の番組名を対応付けて記憶する技術が開示されている（例えば、下記の特許文献１参照）。
【特許文献１】特開２００４−１３４８５８号公報（段落００４２、図２）
【発明の開示】
【発明が解決しようとする課題】
【０００７】
しかしながら、特許文献１に記載の技術は、録画予約の設定時に正式な番組名が提供されない限り、録画済み番組を表示する名称として正式な番組名が使用されないため、録画済み番組を再生する場合に、例えば、図１２に示すように、番組名がそれぞれ省略された番組選択画面を用いたとすると、所望の番組の選択が難しくなるという問題があった。
【０００８】
本発明は上記の問題点を解決するためになされたもので、その目的は、ＥＰＧを用いて録画予約の設定を行う時期に関わりなく、録画済み番組の識別名として正式な番組名を記録することができるデジタル放送録画再生装置を提供することにある。
本発明の他の目的は、録画済み番組の再生時に所望する番組の選択を容易にすることができるデジタル放送録画再生装置を提供することにある。
【課題を解決するための手段】
【０００９】
上記の目的を達成するために、本発明は、放送局から送信される番組コンテンツ及びその番組コンテンツを識別するための番組名である第１の番組名を少なくとも含む属性情報から構成されるデジタル放送信号を受信するデジタル放送受信手段と、所定期間内に放送予定の各番組コンテンツを識別するための番組名である第２の番組名を少なくとも含む番組情報から構成されるＥＰＧ情報を取得するＥＰＧ情報取得手段と、前記ＥＰＧ情報取得手段で取得した前記ＥＰＧ情報のうち、選択された番組コンテンツに対応する前記番組情報を録画予約番組情報として記憶する録画予約情報記憶手段と、前記録画予約情報記憶手段に記憶された前記録画予約番組情報に従って前記デジタル放送受信手段で受信された前記デジタル放送信号の番組コンテンツを録画する番組コンテンツ録画手段と、前記番組コンテンツ録画手段で録画された前記番組コンテンツに対応する前記録画予約番組情報を録画済み番組情報として記録する録画済み番組情報記録手段とを備え、前記番組コンテンツの録画再生を行うデジタル放送録画再生装置において、
前記番組コンテンツ録画手段で録画を行う際に、前記デジタル放送信号から、録画を行う番組コンテンツに対応する前記第１の番組名を含む前記属性情報を抽出する属性情報抽出手段と、
前記番組コンテンツ録画手段で録画が行われた各前記番組コンテンツにそれぞれ対応する、前記録画済み番組情報記録手段に記録された前記録画済み番組情報の前記第２の番組名と、前記属性情報抽出手段で抽出された前記属性情報の前記第１の番組名とを比較し、これらの番組名が互いに相違するとき、前記録画済み番組情報記録手段に記録された前記録画済み番組情報の前記第２の番組名を前記属性情報の前記第１の番組名に置き換える番組名置き換え手段とを、備えたことを特徴とする。
【００１０】
本発明は、さらに、前記番組名置き換え手段による前記番組名の置き換え後に前記録画済み番組情報記録手段に記録されている前記番組情報の一部又は全部を一覧表示する録画済み番組名一覧表示手段と、
前記録画済み番組名一覧表示手段で表示された前記番組情報のうち少なくとも１つが選択されたら、その選択された前記番組情報に対応する録画済みの前記番組コンテンツを再生する再生番組選択手段とを、備えたことを特徴とする。
【発明の効果】
【００１１】
本発明においては、録画された番組コンテンツに対応する録画予約番組情報を録画済み番組情報として記録するとともに、録画中のデジタル放送信号から正式の番組名を含んでいる属性情報を抽出し、録画が行われた番組コンテンツにそれぞれ対応する録画予約番組情報の番組名と属性情報の番組名とを比較し、これらの番組名が互いに相違するとき録画済み番組情報の番組名を属性情報の番組名に置き換えるため、ＥＰＧを用いて録画予約の設定を行う時期に関わりなく、録画済み番組の識別名として正式な番組名を記録することができ、また、録画済み番組の再生時に所望する番組の選択を容易にすることができる。
【発明を実施するための最良の形態】
【００１２】
以下、本発明を図面に示す好適な実施の形態に基づいて詳細に説明する。図１は本発明に係るデジタル放送録画再生装置の一実施の形態の概略構成を示す機能ブロック図である。図１において、デジタル放送受信手段１は放送局から送信される番組コンテンツ及びその属性情報を含むデジタル放送信号を受信するものである。ＥＰＧ情報取得手段２は前述のデジタル放送信号又はアナログ放送信号又は図示しないインターネット通信手段から、所定期間内に放送予定の番組コンテンツのＥＰＧ情報を取り込み、次いで、ＥＰＧ情報取得手段２で取得されたＥＰＧ情報は番組表表示手段３に画面表示される。番組情報選択手段４は番組表表示手段３で画面表示されたＥＰＧ情報のいずれか１つの番組情報を、ユーザが外部操作することによって選択するもので、この番組情報選択手段４によって選択された番組情報が録画予約番組情報として録画予約情報記憶手段５に記憶される。
【００１３】
番組コンテンツ録画手段６は録画予約情報記憶手段５に記憶された録画予約番組情報に従ってデジタル放送受信手段１で受信されたデジタル放送信号の番組コンテンツを録画するもので、録画が行われるとそのときの番組コンテンツに対応する録画予約番組情報が録画済み番組情報として録画済み番組情報記録手段７に記録され、さらに、録画中の番組コンテンツの属性情報が属性情報抽出手段８で抽出される。そこで、番組名置き換え手段９は番組コンテンツ録画手段６で録画が行われた番組コンテンツにそれぞれ対応する録画予約番組情報の番組名と属性情報の番組名とを比較し、これらの番組名が互いに相違するとき録画済み番組情報記録手段７に記録された録画済み番組情報の番組名を属性情報の番組名に置き換える。
【００１４】
一方、再生時には、録画済み番組情報記録手段７に記録された番組情報の一部又は全部を録画済み番組名一覧表示手段１０に一覧表示し、この録画済み番組名一覧表示手段１０に表示された番組情報の少なくとも１つを、ユーザが外部操作する再生番組選択手段１１によって選択すると、選択された番組情報に対応する録画済みの番組コンテンツが再生されるように構成されている。
【００１５】
図２は図１に示したデジタル放送録画再生装置の具体的な構成を示すブロック図であり、ここでは、ＨＤＤ（Hard Disc Drive：ハードディスクドライブ）を記録媒体とするＨＤＤレコーダを示している。図２において、ＨＤＤレコーダ１００は、装置全体を制御するＣＰＵ１０１と、このＣＰＵ１０１の演算処理に必要な制御手順及び固定データをあらかじめ書き込み、必要に応じてＣＰＵ１０１に提供するＲＯＭ及びＣＰＵ１０１の演算処理上のワーキングエリア又は入出力バッファとして用いられるＲＡＭを含むメモリ１０２と、デジタル放送受信部１０３及びアナログ放送受信部１０６と、これらデジタル放送受信部１０３及びアナログ放送受信部１０６でそれぞれ受信された信号を処理する信号処理部１０４と、ＨＤＤ１０５と、外部の赤外線リモコン２００の信号を受信する赤外線リモコン受光部１１０とが信号の授受が可能なように接続されている。さらに、信号処理部１０４からＴＶ装置１５０に映像信号を出力する映像信号出力部１０８と、音声信号を出力するための音声信号出力部１０９とを備えている。なお、ＴＶ装置１５０は、映像信号を入力する映像信号入力部１５１と、音声信号を入力する音声信号入力部１５２と、表示部１５３とを備えている。
【００１６】
上述した信号処理部１０４は、デジタル放送受信部１０３からのデジタルデータストリームに対して、その属性情報を抽出する属性情報解析部１２０、復号化を行うＭＰＥＧ２−ＴＳデコーダ１２１、符号化を行うＭＰＥＧ２−ＴＳエンコーダ１２２及び番組情報を抽出する番組情報抽出部１２３を含んでいる。ＨＤＤ１０５は、録画済み番組映像音声１１５、録画済み番組情報１１６及び本装置の制御を行う処理プログラム１１７を蓄積するものである。不揮発性メモリ１１１は録画予約番組情報１１２、装置設定情報１１３及びＥＰＧ情報１１４とを蓄積するものである。
【００１７】
次に、図３Ａに示すＥＰＧ予約の表示画面、図３Ｂに示す予約録画の設定確認画面、図４Ａに示す正式番組名及び省略番組名、図４Ｂに示す番組名及びサブタイトルを含むＥＰＧ番組名、図９に示す番組名の置き換え機能設定画面及び図１０に示す録画済み番組情報のデータ構造例及び図１１に示す録画済み番組の再生選択画面を参照して、ＣＰＵ１０１の具体的な処理手順を示す図５、図６、図７、図８Ａ、図８Ｂの各フローチャートに従ってＨＤＤレコーダ１００の詳細な動作について説明する。番組情報の提供手段としては、上述したようにアナログ放送のＶＢＩに重畳する方法や、デジタル放送の番組情報専門のデータ放送チャンネルで提供する方法などがある。ここでは、デジタル放送の専門チャンネルから番組情報を取り込む場合について説明する。
【００１８】
＜番組情報取り込み処理＞
図５は番組情報取り込み手順の一例を示している。図５において、まず、ステップＳ５０１でデジタル放送受信部１０３によって番組情報の提供チャンネルを選局して放送信号を受信し、ステップＳ５０２では受信して得られた信号から、信号処理部１０４内の番組情報抽出部１２３によって番組情報を抽出する。次に、ステップＳ５０３で抽出された番組情報が初めての取り込みか否かを判定し、初めての取り込みであればステップＳ５０５以下の処理を実行し、初めての取り込みでなければ、すなわち、２回目以降の取り込みであればステップＳ５０４以下の処理を実行する。ステップＳ５０５では抽出した番組情報をＥＰＧ情報１１４として不揮発性メモリ１１１に記憶し、ステップＳ５０７で番組情報の取り込み完了の処理を実行する。一方、ステップＳ５０４では新たに抽出した番組情報とＥＰＧ情報１１４として記憶した番組情報とを比較し、番組情報が更新されているか否かを判定する。判定の結果、番組情報が更新されていなければステップＳ５０７の処理を実行し、番組情報が更新されていた場合にはステップＳ５０６にて抽出した番組情報で不揮発性メモリ１１１上のＥＰＧ情報１１４を更新し、続いてステップＳ５０７の処理を実行する。
【００１９】
＜録画予約処理＞
図６はＥＰＧを利用した録画予約手順の一例を示している。図６において、まず、ステップＳ６０１でＥＰＧ番組表を表示させる。図３Ａはこのときの表示例であり、新聞のラジオやテレビの番組欄を模した形式で表示される。このＥＰＧ番組表は各列が放送チャンネルにより区切られており、各チャンネルごとに縦方向の時間軸が割り当てられ、時間帯ごとに区切られた枠内にＥＰＧ情報に含まれる番組名が表示されている。また、番組を選択するためのカーソル２０１に強調表示した枠線を利用している。そこで、ステップＳ６０２にて、赤外線リモコン２００の操作によりユーザが希望する番組枠にカーソル２０１を移動する。このカーソル２０１の移動に際して、赤外線リモコン２００には上下左右の４方向移動ボタン（図示せず）を備えているのが一般的であり、これを利用する。次に、ステップＳ６０３でリモコン操作で、選択操作をする。赤外線リモコン２００には選択操作用の決定ボタン（図示せず）があり、これを利用する。そして、ステップＳ６０４で、図３Ｂに示すように、予約録画の設定確認画面を表示する。
【００２０】
図３Ｂに示した予約録画の設定確認画面には、ＥＰＧ情報１１４に基づいて録画開始の年２０２、月２０３、日２０４、時刻２０５と、録画終了の年２０６、月２０７、日２０８、時刻２０９と、チャンネル２１０と、録画モード２１１と、番組名２１２と、サブタイトル２１３と、番組詳細説明２１４と、予約確定ボタン２１５と、中止ボタン２１６とが表示される。
【００２１】
次に、ステップＳ６０５でユーザの希望により録画モード２１１の設定変更を行い、ステップＳ６０６にて設定が完了したか否かの判定を行い、設定が完了するまでこれらの処理を繰り返す。ステップＳ６０５、６０６の処理により設定の変更が終わるまでリモコン操作で繰り返し変更することが可能となる。続いて、ステップＳ６０７で予約を設定するか否かの判定を行い、設定するときにはステップＳ６０８にて予約確定ボタン２１５の選択操作が行われ、ステップＳ６１０でＥＰＧ情報１１４及び録画予約に必要な情報を録画予約番組情報１１２として不揮発性メモリ１１１に保存する。一方、ステップＳ６０７で録画予約を中止する場合にはステップＳ６０９で中止ボタン２１６を選択操作する。次に、ステップＳ６１１でＥＰＧ番組表画面に戻り、ステップＳ６１２で録画予約の終了処理を実行する。
【００２２】
＜予約録画実行時の処理＞
図７は予約録画実行時の処理手順の一例を示している。まず、ステップＳ７０１において、ＨＤＤレコーダ１００に内蔵されたタイマ（図示せず）から取得した現在時刻を基にして、録画予約番組情報１１２の録画開始の時刻との比較を行い、ステップＳ７０２で実行するべき録画予約があるか否かを判定する。ステップＳ７０２での判定の結果、実行すべき録画予約が無ければ予約録画を実行せずに、ステップＳ７１０にて予約録画終了の処理を実行する。一方、ステップＳ７０２での判定の結果、実行するべき録画予約がある場合には、ステップＳ７０３にてその対象となる録画予約番組情報に従ってデジタル放送受信部１０３で選局を行う。さらに、ステップＳ７０４で録画予約番組情報に指定されている録画モードで録画を開始する。次に、ステップＳ７０５において、録画中に受信しているデジタル放送から属性情報解析部１２０で分離された属性情報から番組名及びサブタイトルを抽出し、続いて、ステップＳ７０６では、属性情報の番組名及びサブタイトルとを用いて、録画予約番組情報１１２から録画済み番組情報１１６として記録するべき情報の番組名及びサブタイトルの置き換えを行う。この番組名置き換えの処理についてはその詳細を後述する。
【００２３】
次に、ステップＳ７０７にて予約録画の終了時刻になったか否かを判定し、終了時刻を迎えていなければ録画を継続し、終了時刻を迎えた場合にはステップＳ７０８で録画を停止する。続いて、ステップＳ７０９では、録画予約番組情報１１２から録画済み番組情報１１６に記録するべき情報を抽出してＨＤＤ１０５に記録する。以上のようにして予約録画実行時の処理を終了する。
【００２４】
図１０はＨＤＤ１０５に記録される録画済み番組情報１１６のデータ構造例を示しており、上記の予約録画実行時の処理により、データ構造体struct program_infoの構成要素である録画開始日record_start_date、録画開始時刻start_time、録画終了日record_end_date、録画終了時刻end_time、放送局名broadcaster_name、番組名title、サブタイトルsubtitle、詳細説明description、録画モードrecording_mode、繰り返し録画予約の設定フラグrepeat_recording_flugの記録が行われる。
【００２５】
＜番組名置き換え処理＞
図８Ａ及び図８Ｂは図７のステップＳ７０６で実行する番組名置き換え処理手順の一例を示すフローチャートである。この機能を利用する上で、事前に機能の有効化の設定を行っておく。この設定には図９に例示する設定画面を利用する。この設定画面は番組名の自動置き換えが「有効（入）」、番組名にサブタイトルを含めるが「無効（切）」、サブタイトルの自動置き換えが「有効（入）」にそれぞれ指定されている。このような設定画面は、ＨＤＤレコーダ１００全体の一般設定として指定してもよいが、録画予約ごとの個別設定とすることも可能である。そこで、本実施の形態では、ユーザの操作手順を限定せず、その設定機能が単独に行われるものとして説明する。
【００２６】
まず、ステップＳ８０１で番組名の置き換え処理が有効か否かを判定する。無効の場合にはステップＳ８０３にて録画予約番組情報１１２の番組名を録画済み番組情報１１６にコピーする。具体的には、図１０に例示したデータ構造体struct program_info（以下、単にデータ構造体と略記する）の構成要素である番組名titleがコピー先となる。このステップＳ８０３の処理を終了するとステップＳ８１２の処理に進む。一方、番組名の置き換え処理が有効の場合には、ステップＳ８０２で録画予約番組情報１１２の番組名と属性情報の番組名とを比較し、ステップＳ８０４で両者の番組名が同じか否かを判定する。そして両者の番組名が同じであると判定されたときには、ステップＳ８０５で録画予約番組情報１１２の番組名を録画済み番組情報１１６にコピーしてステップＳ８１２の処理に進む。
【００２７】
番組名が同じでないと判定された場合にはステップＳ８０６にて録画予約番組情報１１２の番組名をオリジナル名としてコピーする。具体的には、データ構造体の構成要素であるオリジナル番組名original_titleがコピー先となる。そして、ステップＳ８０７にて録画済み番組情報１１６の番組名には属性情報の番組名をコピーする。具体的には、データ構造体の構成要素である番組名titleがコピー先となる。次に、ステップＳ８０８でサブタイトルを含める設定が有効か否かを判定し、有効でない場合にはステップＳ８１２の処理に進む。サブタイトルを含める設定が有効である場合には、さらに、ステップＳ８０９で属性情報にサブタイトルがあるか否か、すなわち、属性情報のサブタイトルが空欄ではなく、情報が含まれているか否かを判定し、含まれていないと判定した場合にはステップＳ８１２の処理に進む。情報が含まれている場合にはステップＳ８１０で録画済み番組情報１１６の番組名に属性情報のサブタイトルを追加する。具体的には、データ構造体の構成要素である番組名titleの文字列に属性情報のサブタイトルを追加し、併せてサブタイトルsubtitleは空欄とする。次に、ステップＳ８１１では録画予約番組情報１１２のサブタイトルをオリジナルサブタイトルとして、録画済み番組情報１１６にコピーする。具体的には、データ構造体の構成要素であるオリジナルのサブタイトルoriginal_subtitleがコピー先となる。ステップＳ８１１でサブタイトルの追加が行われた場合は、ステップＳ８１９で番組名の置き換え処理を終了する。
【００２８】
次に、図８Ｂに示したステップＳ８１２以下の処理について説明する。ステップＳ８１２でサブタイトルの置き換えが有効に設定されているか否かを判定し、有効に設定されていない、つまり無効の場合は、ステップＳ８１４で録画予約番組情報１１２のサブタイトルを録画済み番組情報１１６のサブタイトルにコピーする。具体的には、データ構造体の構成要素であるサブタイトルsubtitleがコピー先となる。この後、ステップＳ８１９に進み、番組名の置き換え処理を終了する。ステップＳ８１２でサブタイトルの置き換えが有効に設定されていると判定された場合には、ステップＳ８１３で録画予約番組情報１１２のサブタイトルと属性情報のサブタイトルとを比較し、ステップＳ８１５でサブタイトルが同じか否かを判定する。ここで、サブタイトルが同じと判定された場合にはステップＳ８１８で録画予約番組情報１１２のサブタイトルを録画済み番組情報１１６にコピーし、続いて、ステップＳ８１９に進み、番組名の置き換え処理を終了する。ステップＳ８１５でサブタイトルが同じでないと判定された場合、すなわち、サブタイトルが異なると判定された場合、ステップＳ８１６で属性情報のサブタイトルを録画済み番組情報１１６のサブタイトルにコピーする。具体的には、データ構造体の構成要素であるサブタイトルsubtitleがコピー先となる。次に、ステップＳ８１７で録画予約番組情報１１２のサブタイトルをオリジナルサブタイトルとして、録画済み番組情報１１６にコピーし、続いて、ステップＳ８１９に進み、番組名の置き換え処理を終了する。以上の処理により番組名の置き換え処理が実現される。
【００２９】
次に、番組名、サブタイトルの具体的な置き換え例を説明する。図４Ａの（ａ）〜（ｅ）欄はそれぞれ正式番組名がＥＰＧ用番組情報の中で省略表示される例をまとめたものである。このように、１つの正式番組名に対して複数の省略手法があり、どの省略手法を採用するかはＥＰＧ用番組提供者の裁量にゆだねられている。また、ＥＰＧ用番組情報の番組名がどの程度省略されて提供されているかについても、ＥＰＧ用番組情報の提供者の裁量により変更され、ＥＰＧ録画利用者に知らされることはない。
【００３０】
図４Ｂの（ａ）〜（ｇ）欄はそれぞれ番組名とサブタイトルを含むＥＰＧ番組名の例をまとめたものである。図４Ａの（ｄ）欄の（サブタイトルの映画名）は特殊な省略例であり、図４Ｂの（ｃ）欄のＥＰＧサブタイトルに当たる。なお、図４Ｂの（ａ）、（ｂ）、（ｃ）、（ｄ）、（ｅ）欄に使用されている「［二］」は二カ国語放送を、「［新］」は新番組をそれぞれ表す特殊な記述である。
【００３１】
図１１は本実施の形態により、録画済み番組情報１１６を置き換えた場合の再生選択画面を例示したものである。番組選択用のカーソル１１０１は太線による枠として示されている。カーソル１１０１が示している番組の詳細情報は、画面下部の表示領域１１０２に表示される。同じ番組を表示した従来技術による図１２の再生選択画面と比較すると、それぞれの番組名から選択する際、本実施の形態においては、録画済み番組の識別名として正式な番組名を記録できることが分かる。これによって、録画済み番組の再生時に所望する番組の選択を容易にすることができる。
【００３２】
なお、図１１では録画済み番組情報の一部を一覧表示したが、録画済み番組情報の全部を一覧表示して、そのうちのいずれか１つ又は複数を、ユーザが選択するように構成することもできる。これによって、上述したと同様な効果が得られる。
【図面の簡単な説明】
【００３３】
【図１】本発明に係るデジタル放送録画再生装置の一実施の形態の概略構成を示す機能ブロック図である。
【図２】図１に示したデジタル放送録画再生装置の具体的な構成を示すブロック図である。
【図３Ａ】本発明の一実施の形態の動作を説明するために、ＥＰＧ予約の表示画面を例示した図である。
【図３Ｂ】本発明の一実施の形態の動作を説明するために、予約録画の設定確認画面を例示した図である。
【図４Ａ】本発明の一実施の形態の動作を説明するために、正式番組名及び省略番組名を例示した図である。
【図４Ｂ】本発明の一実施の形態の動作を説明するために、番組名及びサブタイトルを含むＥＰＧ番組名を例示した図である。
【図５】本発明の一実施の形態の動作を説明するために、番組情報取り込み手順の一例を示したフローチャートである。
【図６】本発明の一実施の形態の動作を説明するために、録画予約手順の一例を示したフローチャートである。
【図７】本発明の一実施の形態の動作を説明するために、予約録画実行時の処理手順の一例を示したフローチャートである。
【図８Ａ】本発明の一実施の形態の動作を説明するために、番組名の置き換え処理手順の一例を示したフローチャートである。
【図８Ｂ】本発明の一実施の形態の動作を説明するために、番組名の置き換え処理手順の一例を示したフローチャートである。
【図９】本発明の一実施の形態の動作を説明するために、番組名の置き換え機能設定画面を例示した図である。
【図１０】本発明の一実施の形態の動作を説明するために、録画済み番組情報のデータ構造例を示した図である。
【図１１】本発明の一実施の形態の動作を説明するために、録画済み番組の再生選択画面を例示した図である。
【図１２】従来技術による録画済み番組の再生選択画面を例示した図である。
【符号の説明】
【００３４】
１  デジタル放送受信手段
２  ＥＰＧ情報取得手段
３  番組表表示手段
４  番組情報選択手段
５  録画予約情報記憶手段
６  番組コンテンツ録画手段
７  録画済み番組情報記録手段
８  属性情報抽出手段
９  番組名置き換え手段
１０  録画済み番組名一覧表示手段
１１  再生番組選択手段
１００  ＨＤＤレコーダ（デジタル放送録画再生装置）
１０１  ＣＰＵ
１０２  メモリ
１０３  デジタル放送受信部
１０４  信号処理部
１０５  ＨＤＤ
１１０  赤外線リモコン受光部
１１１  不揮発メモリ
１５０  ＴＶ装置
２００  赤外線リモコン
【図１】
2007096714.tif 000003
【図２】
2007096714.tif 000004
【図３Ａ】
2007096714.tif 000005
【図３Ｂ】
2007096714.tif 000006
【図４Ａ】
2007096714.tif 000007
【図４Ｂ】
2007096714.tif 000008
【図５】
2007096714.tif 000009
【図６】
2007096714.tif 000010
【図７】
2007096714.tif 000011
【図８Ａ】
2007096714.tif 000012
【図８Ｂ】
2007096714.tif 000013
【図９】
2007096714.tif 000014
【図１０】
2007096714.tif 000015
【図１１】
2007096714.tif 000016
【図１２】
2007096714.tif 000017